(57)【特許請求の範囲】
【請求項１】
患者を表す患者情報を含む医療情報が記録された文書情報である少なくとも１つの医療文書情報を取得する医療文書情報取得手段と、
前記各医療文書情報に対応する、前記患者に関する診療履歴を示す少なくとも１つの診療履歴情報を取得する診療履歴情報取得手段と、
前記医療文書情報取得手段が取得する少なくとも１つの医療文書情報に基づいて決定される値を、前記診療履歴情報取得手段が取得する少なくとも１つの診療履歴情報に基づいて補正した、前記患者が傷病に罹患している程度及び可能性の少なくとも一方を表す指標である罹患指標を出力する罹患指標出力手段と、
を含むことを特徴とする情報処理装置。
【請求項２】
前記医療文書情報取得手段が、前記医療情報の記録に関連する時期を示す記録関連時期情報に関連付けられている前記医療文書情報を取得して、
前記診療履歴情報取得手段が、患者に対する診療に関連する時期を示す診療関連時期情報に関連付けられている前記診療履歴情報であって、関連付けられている診療関連時期情報が、前記医療文書情報取得手段が取得する医療文書情報に関連付けられている記録関連時期情報に対応する前記診療履歴情報を取得する、
ことを特徴とする請求項１に記載の情報処理装置。
【請求項３】
前記診療履歴情報取得手段が、前記各医療文書情報について、当該医療文書情報に対応する診療履歴情報、及び、当該医療文書情報に関連付けられている他の医療文書情報に対応する診療履歴情報を取得する、
ことを特徴とする請求項１又は２に記載の情報処理装置。
【請求項４】
前記罹患指標出力手段が、前記医療文書情報に含まれる文字列、及び、前記診療履歴情報に含まれる文字列、の少なくとも一方に基づいて値が決定される前記罹患指標を出力する、
ことを特徴とする請求項１から３のいずれか一項に記載の情報処理装置。
【請求項５】
前記医療文書情報を、当該医療文書情報に対応する前記罹患指標の値に応じた態様で出力する医療文書情報出力手段、をさらに含む、
ことを特徴とする請求項１から４のいずれか一項に記載の情報処理装置。
【請求項６】
患者を表す患者情報を含む医療情報が記録された文書情報である少なくとも１つの医療文書情報を取得する医療文書情報取得手段、
前記各医療文書情報に対応する、前記患者に関する診療履歴を示す少なくとも１つの診療履歴情報を取得する診療履歴情報取得手段、
前記医療文書情報取得手段が取得する少なくとも１つの医療文書情報に基づいて決定される値を、前記診療履歴情報取得手段が取得する少なくとも１つの診療履歴情報に基づいて補正した、前記患者が傷病に罹患している程度及び可能性の少なくとも一方を表す指標である罹患指標を出力する罹患指標出力手段、
としてコンピュータを機能させることを特徴とするプログラム。
【発明の詳細な説明】
【技術分野】
【０００１】
本発明は、情報処理装置及びプログラムに関する。
【背景技術】
【０００２】
医療分野において、情報処理システムが活用される場面が増加してきている。特許文献１には、入力された患者症状情報と、病院情報マシンから提供を受けたカルテ情報との双方に基づいて、患者マシンに病名を通知するシステムが開示されている。また、癌患者の罹患率、死亡率、生存率など、癌対策を直接評価する指標の計算のため、対象とする癌患者の情報を収集することを目的として、各病院から診断、治療、予後に関する情報を集め、整理・保管し、集計・解析をする仕組みが確立されてきている。
【先行技術文献】
【特許文献】
【０００３】
【特許文献１】特開２００４−２８７９６１号公報
【発明の概要】
【発明が解決しようとする課題】
【０００４】
本発明は、患者が傷病に罹患している程度及び可能性の少なくとも一方を、従来よりも精度よく利用者に提示することができる情報処理装置及びプログラムを提供することを目的とする。
【課題を解決するための手段】
【０００５】
請求項１に記載の発明は、情報処理装置であって、患者を表す患者情報を含む医療情報が記録された文書情報である少なくとも１つの医療文書情報を取得する医療文書情報取得手段と、前記各医療文書情報に対応する、前記患者に関する診療履歴を示す少なくとも１つの診療履歴情報を取得する診療履歴情報取得手段と、前記医療文書情報取得手段が取得する少なくとも１つの医療文書情報、及び、前記診療履歴情報取得手段が取得する少なくとも１つの診療履歴情報に応じた、前記患者が傷病に罹患している程度及び可能性の少なくとも一方を表す指標である罹患指標を出力する罹患指標出力手段と、を含むこととしたものである。
【０００６】
請求項２に記載の発明は、請求項１に記載の情報処理装置であって、前記医療文書情報取得手段が、前記医療情報の記録に関連する時期を示す記録関連時期情報に関連付けられている前記医療文書情報を取得して、前記診療履歴情報取得手段が、患者に対する診療に関連する時期を示す診療関連時期情報に関連付けられている前記診療履歴情報であって、関連付けられている診療関連時期情報が、前記医療文書情報取得手段が取得する医療文書情報に関連付けられている記録関連時期情報に対応する前記診療履歴情報を取得することとしたものである。
【０００７】
請求項３に記載の発明は、請求項１又は２に記載の情報処理装置であって、前記診療履歴情報取得手段が、前記各医療文書情報について、当該医療文書情報に対応する診療履歴情報、及び、当該医療文書情報に関連付けられている他の医療文書情報に対応する診療履歴情報を取得することとしたものである。
【０００８】
請求項４に記載の発明は、請求項１から３のいずれか一項に記載の情報処理装置であって、前記罹患指標出力手段が、前記医療文書情報に含まれる文字列、及び、前記診療履歴情報に含まれる文字列、の少なくとも一方に基づいて値が決定される前記罹患指標を出力することとしたものである。
【０００９】
請求項５に記載の発明は、請求項１から４のいずれか一項に記載の情報処理装置であって、前記罹患指標出力手段が、前記医療文書情報に基づいて決定される値を、前記診療履歴情報に基づいて補正した前記罹患指標を出力することとしたものである。
【００１０】
請求項６に記載の発明は、請求項１から５のいずれか一項に記載の情報処理装置であって、前記医療文書情報を、当該医療文書情報に対応する前記罹患指標の値に応じた態様で出力する医療文書情報出力手段、をさらに含むこととしたものである。
【００１１】
請求項７に記載の発明は、プログラムであって、患者を表す患者情報を含む医療情報が記録された文書情報である少なくとも１つの医療文書情報を取得する医療文書情報取得手段、前記各医療文書情報に対応する、前記患者に関する診療履歴を示す少なくとも１つの診療履歴情報を取得する診療履歴情報取得手段、前記医療文書情報取得手段が取得する少なくとも１つの医療文書情報、及び、前記診療履歴情報取得手段が取得する少なくとも１つの診療履歴情報に応じた、前記患者が傷病に罹患している程度及び可能性の少なくとも一方を表す指標である罹患指標を出力する罹患指標出力手段、としてコンピュータを機能させることとしたものである。
【発明の効果】
【００１２】
請求項１，７に記載の発明によれば、本構成を有さない場合と比較して、患者が傷病に罹患している程度及び可能性の少なくとも一方を精度よく利用者に提示することができる。
【００１３】
請求項２に記載の発明によれば、関連する時期が互いに対応する医療文書情報と診療履歴情報とに応じた罹患指標を利用者に提示することができる。
【００１４】
請求項３に記載の発明によれば、医療文書情報と、その医療文書情報に関連する他の医療文書情報に対応する診療履歴情報と、に応じた罹患指標を利用者に提示することができる。
【００１５】
請求項４に記載の発明によれば、文字列に基づく罹患指標を利用者に提示することができる。
【００１６】
請求項５に記載の発明によれば、医療文書情報に応じた値が診療履歴情報により補正された罹患指標を利用者に提示することができる。
【００１７】
請求項６に記載の発明によれば、本構成を有さない場合と比較して、医療文書情報に対応する罹患指標を利用者が容易に把握することができる。
【図面の簡単な説明】
【００１８】
【図１】本発明の一実施形態に係る情報処理装置のハードウェア構成の一例を示す図である。
【図２】本発明の一実施形態に係る情報処理装置により実現される機能の一例を示す機能ブロック図である。
【図３】医療文書情報のデータ構造の一例を示す図である。
【図４】キーワード情報のデータ構造の一例を示す図である。
【図５】アクセス履歴情報のデータ構造の一例を示す図である。
【図６】発注履歴情報のデータ構造の一例を示す図である。
【図７】診療履歴情報のデータ構造の一例を示す図である。
【図８】本実施形態に係る情報処理装置で行われる処理の流れの一例を示すフロー図である。
【図９】本実施形態に係る情報処理装置で行われる処理の流れの一例を示すフロー図である。
【図１０】文書関係情報のデータ構造の一例を示す図である。
【図１１】本実施形態に係る情報処理装置で行われる処理の流れの一例を示すフロー図である。
【図１２】癌登録候補者表示画面の一例を示す図である。
【図１３】医療文書一覧表示画面の一例を示す図である。
【発明を実施するための形態】
【００１９】
以下、本発明の一実施形態について図面に基づき詳細に説明する。
【００２０】
図１のハードウェア構成図に例示するように、本実施形態における情報処理装置１０は、例えば、制御部１２、記憶部１４、ユーザインタフェース（ＵＩ）部１６、を含んでいる。これらの要素は、バスなどを介して接続される。
【００２１】
制御部１２は、ＣＰＵ等のプログラム制御デバイスであり、情報処理装置１０にインストールされるプログラムに従って動作する。記憶部１４は、ＲＯＭやＲＡＭ等の記憶素子やハードディスクドライブなどである。記憶部１４には、制御部１２によって実行されるプログラムなどが記憶される。また、記憶部１４は、制御部１２のワークメモリとしても動作する。ＵＩ部１６は、ディスプレイ、マイク、マウス、キーボードなどであり、利用者が行った操作の内容や、利用者が入力した音声を制御部１２に出力する。また、このＵＩ部１６は、制御部１２から入力される指示に従って情報を表示出力したり音声出力したりする。
【００２２】
図２は、本実施形態に係る情報処理装置１０により実現される機能の一例を示す機能ブロック図である。図２に例示するように、本実施形態では、情報処理装置１０は、例えば、医療文書情報記憶部２０、キーワード情報記憶部２２、アクセス履歴情報記憶部２４、発注履歴情報記憶部２６、診療履歴情報記憶部２８、医療文書情報取得部３０、検索処理実行部３２、文書関係抽出部３４、診療履歴情報取得部３６、病名特定部３８、罹患指標算出部４０、罹患指標出力部４２、を含むものとして機能する。医療文書情報記憶部２０、キーワード情報記憶部２２、アクセス履歴情報記憶部２４、発注履歴情報記憶部２６、診療履歴情報記憶部２８、は記憶部１４を主として実現される。その他の要素は制御部１２を主として実現される。
【００２３】
これらの要素は、コンピュータである情報処理装置１０にインストールされたプログラムを、情報処理装置１０の制御部１２で実行することにより実現されている。このプログラムは、例えば、ＣＤ−ＲＯＭ、ＤＶＤ−ＲＯＭなどのコンピュータ可読な情報伝達媒体（情報記憶媒体）を介して、あるいは、インターネットなどの通信手段を介して情報処理装置１０に供給される。
【００２４】
医療文書情報記憶部２０には、医療情報が記録された文書情報である少なくとも１つの医療文書情報４４が記憶されている（図３参照）。医療文書情報４４は、例えば、患者に対して行われる診療を記録した文書（例えば、放射線治療記録、病理診断検査報告、細胞診検査報告、など）を示す情報である。図３は、医療文書情報４４のデータ構造の一例を示す図である。図３に例示するように、医療文書情報４４は、例えば、医療文書情報４４の識別子である文書識別子と、医療文書情報４４の種別を示す文書種別情報と、医療文書情報４４に対応する患者の識別子である患者識別子と、医療文書情報４４の記録に関連する時期（例えば、作成日時や診療日時など）を表す記録関連時期情報と、診療における判定を示す診療判定情報と、診療された組織を示す組織情報と、を含む。なお、図３に例示する内容は、医療文書情報４４に文書として（コンテンツとして）含まれていてもよい。
【００２５】
キーワード情報記憶部２２には、図４に例示する、医療文書情報４４に対する検索処理を実行する際に用いられるキーワード情報４６が記憶されている。図４は、キーワード情報４６のデータ構造の一例を示す図である。図４に例示するように、キーワード情報４６は、検索条件を表す文字列である検索条件文字列と、患者が傷病に罹患している程度及び可能性の少なくとも一方を表す指標（罹患指標）の一例であるｋ−ｆｌａｇと、を含んでいる。本実施形態では、ｋ−ｆｌａｇは、例えば、０から１０までの間のいずれかの整数である。ｋ−ｆｌａｇの詳細については後述する。
【００２６】
なお、本実施形態においては、後述するｅ−ｆｌａｇやｐ−ｆｌａｇも罹患指標の一例である。本実施形態では、ｅ−ｆｌａｇやｐ−ｆｌａｇは、例えば、０から１０までの範囲の実数値をとる。そして、本実施形態では、これらの罹患指標の値の範囲がその範囲に対応する文字列と関連付けられてキーワード情報記憶部２２に記憶されている。
【００２７】
なお、本実施形態では、罹患指標は、患者が癌に罹患している可能性を表している。そして、医療文書情報４４に含まれる診療判定情報は、例えば、組織診や細胞診の結果などを示している。そして、例えば、検索条件文字列が癌に罹患している可能性が高いことを表しているほど、その検索条件文字列に関連付けられているｋ−ｆｌａｇの値が大きくなるようにｋ−ｆｌａｇの値が設定されている。
【００２８】
アクセス履歴情報記憶部２４には、医療文書情報４４に対するアクセス履歴（例えば、医療文書情報４４に対する利用者からの処理要求に応じた、その処理の実行履歴）を示すアクセス履歴情報４８が記憶されている。図５は、アクセス履歴情報４８のデータ構造の一例を示す図である。図５に例示するように、アクセス履歴情報４８は、例えば、アクセスの開始時期（例えば、文書の新規作成や閲覧などを開始した日時）を示す開始時期情報と、アクセスの終了時期（例えば、文書の新規作成や閲覧などを終了した日時）を示す終了時期情報と、アクセスの対象となる医療文書情報４４の識別子である文書識別子と、アクセスを行った利用者を示すアクセス利用者情報と、アクセスの際に医療文書情報４４に対して実行された処理の内容（例えば、「新規作成」や「閲覧」や「更新」など）を表す処理内容情報と、を含む。
【００２９】
発注履歴情報記憶部２６には、図６に例示する、医療文書情報４４を基礎にしたアプリケーションプログラムを実行することにより実現される発注処理の履歴を示す発注履歴情報５０が記憶されている。本実施形態では、情報処理装置１０において、例えば、医療文書情報４４を基礎にしたアプリケーションプログラムの一例である発注アプリケーションプログラムが実行されているとする。そして、治療計画の医療文書情報４４がディスプレイなどのＵＩ部１６に表示出力されている際に、利用者が、治療計画の医療文書情報４４に対する、病理検査の発注操作を行うと、発注アプリケーションプログラムは、病理検査の担当医師に対して、病理検査が発注された旨を通知（例えば、電子メールなどにより通知）するようになっている。図６は、発注履歴情報５０のデータ構造の一例を示す図である。図６に例示するように、発注履歴情報５０は、情報処理装置１０において発注処理が実行された時期（具体的には、例えば、発注アプリケーションプログラムにより、医師に対して診療が発注された旨を示す電子メールなどが通知された日時など）を示す発注時期情報、発注された処理（上述の例では病理検査）に対応する医療文書情報４４の文書識別子に対応する発注先文書識別子、発注処理を行った利用者を示す発注者情報、発注元の医療文書情報４４（上述の例では治療計画）の文書識別子に対応する発注元文書識別子、を含んでいる。
【００３０】
診療履歴情報記憶部２８は、図７に例示する、患者に対して行われた診療（例えば、診断や治療や手術など）の履歴を示す診療履歴情報５２を記憶する。図７に例示するように、診療履歴情報５２は、診療に関連する時期（例えば、診療が行われた日時）に対応する診療関連時期情報、診療の対象となった患者の識別子である患者識別子、診療を担当した医師の名称を示す医師名情報、患者が罹患していると診断された病名を示す病名情報、などを含む。診療関連時期情報は、具体的には、例えば、患者が病気に罹患している明らかな証拠が得られた検査が行われた日時や、医師が治療を行うにあたっての問題リスト（プロブレムリスト）を作成した日時や、紹介状が書かれた日時、などを示している。診療履歴情報記憶部２８は、例えば、保健医療情報システム（Ｈｅａｌｔｈ  Ｉｍｆｏｒｍａｔｉｏｎ  Ｓｙｓｔｅｍ（ＨＩＳ））の一部として構成されていてもよい。
【００３１】
本実施形態では、情報処理装置１０は、例えば、処理の対象となる患者の患者識別子を受け付けて、その患者が癌に罹患している可能性を算出して、その可能性を表す罹患指標を出力する処理を実行する。ここで、本実施形態に係る情報処理装置１０で行われる処理の流れの一例を、図８に例示するフロー図を参照しながら説明する。
【００３２】
まず、医療文書情報取得部３０が、利用者から受け付けた患者識別子を含む医療文書情報４４を医療文書情報記憶部２０から少なくとも１つ取得する（Ｓ１０１）。なお、ここで、医療文書情報４４から図３に例示する各項目に対応する値を抽出する処理を実行してもよい。
【００３３】
そして、検索処理実行部３２は、本処理例に例示する処理が行われていない医療文書情報４４を１つ選択して、その医療文書情報４４に対して、キーワード情報４６に含まれる各検索条件文字列を検索条件とする検索処理を実行する。罹患指標算出部４０は、具体的には、例えば、医療文書情報４４に含まれる診療判定情報と、キーワード情報４６に含まれる各検索条件文字列と、が対応するか否かを判定する（Ｓ１０２）。
【００３４】
そして、検索処理実行部３２が、医療文書情報４４に含まれる診療判定情報に対応する検索条件文字列が存在するか否かを確認する（Ｓ１０３）。本実施形態では、検索条件文字列に対応する診療判定情報を、例えば、癌診断を支持する証拠として取り扱う。存在しない場合は（Ｓ１０３：Ｎ）、後述のＳ１０６に例示する処理を実行する。存在する場合は（Ｓ１０３：Ｙ）、文書関係抽出部３４、診療履歴情報取得部３６、及び、病名特定部３８が、Ｓ１０２に例示する処理で選択された医療文書情報４４に対応する病名を特定する（Ｓ１０４）。Ｓ１０４に例示する処理の詳細については後述する。
【００３５】
そして、罹患指標算出部４０が、Ｓ１０４に例示する処理により特定された病名に基づいて、罹患指標の一例であるｅ−ｆｌａｇの値を算出する（Ｓ１０５）。ｅ−ｆｌａｇの算出処理の詳細については後述する。
【００３６】
そして、罹患指標算出部４０が、Ｓ１０１に例示する処理で取得したすべての医療文書情報４４について上述の処理を実行したか否かを確認する（Ｓ１０６）。すべての医療文書情報４４について上述の処理を実行していない場合は（Ｓ１０６：Ｎ）、まだ上述の処理を実行していない医療文書情報４４について、罹患指標算出部４０は、Ｓ１０２に例示する処理以降の処理を実行する。
【００３７】
すべての医療文書情報４４について上述の処理を実行している場合は（Ｓ１０６：Ｙ）、罹患指標算出部４０が、Ｓ１０１に例示する処理で取得した各医療文書情報４４に対応するｅ−ｆｌａｇの値のうちの最大の値を、処理の対象となる患者の罹患指標であるｐ−ｆｌａｇの値として算出する（Ｓ１０７）。このようにして、本処理例では、患者が癌に罹患している可能性を表す罹患指標であるｐ−ｆｌａｇの値が算出される。
【００３８】
次に、上述のＳ１０４に例示する処理の詳細について、図９に例示するフロー図を参照しながら説明する。
【００３９】
まず、文書関係抽出部３４が、アクセス履歴情報４８及び発注履歴情報５０に基づいて、処理の対象となる医療文書情報４４に関連付けられる医療文書情報４４を少なくとも１つ特定する（Ｓ２０１）。そして、文書関係抽出部３４が、Ｓ２０１に例示する処理により特定された医療文書情報４４に基づいて、図１０に例示する文書関係情報５４を生成する（Ｓ２０２）。図１０は文書関係情報５４のデータ構造の一例を示す図である。本実施形態では、文書関係情報５４は、図１０に例示するようなグラフ構造の情報であり、各ノード５６が医療文書情報４４（図１０に例示する文書関係情報５４では文書識別子と文書種別情報とが示されている）に対応し、各リンク５８が医療文書情報４４間の参照関係（図１０に例示する文書関係情報５４では矢印にて表現されている参照関係リンク５８ａに対応する）又は発注関係（図１０に例示する文書関係情報５４では丸印に接続された直線により表現されている発注関係リンク５８ｂに対応する）に対応する。
【００４０】
文書関係抽出部３４は、例えば、アクセス履歴情報４８に基づいて、医療文書情報４４同士の参照関係を特定する。文書関係抽出部３４は、例えば、ある医療文書情報４４の新規作成の間に、予め定められた時間（例えば、１０分）以上、他の医療文書情報４４を閲覧している場合は、これら２つの医療文書情報４４同士に参照関係が存在すると特定する。図５に例示するアクセス履歴情報４８では、文書識別子が０００３である医療文書情報４４の新規作成の間に、文書識別子が０００１である医療文書情報４４を３０分閲覧している。この場合は、文書関係抽出部３４は、文書識別子が０００３である医療文書情報４４から文書識別子が０００１である医療文書情報４４への参照関係が存在すると特定する。図１０に例示する参照関係リンク５８ａでは、参照元のノード５６から参照先のノード５６へと矢印が伸びている。
【００４１】
また、文書関係抽出部３４は、例えば、発注履歴情報５０に基づいて、医療文書情報４４同士の発注関係を特定する。文書関係抽出部３４は、例えば、発注履歴情報５０に含まれる発注元文書識別子に対応する医療文書情報４４から発注履歴情報５０に含まれる発注先文書識別子に対応する医療文書情報４４への発注関係を特定する。文書関係抽出部３４は、例えば、図６に例示する発注履歴情報５０に基づいて、文書識別子が０００２である医療文書情報４４から文書識別子が０００３である医療文書情報４４への発注関係、及び、文書識別子が０００２である医療文書情報４４から文書識別子が０００４である医療文書情報４４への発注関係を特定する。図１０に例示する発注関係リンク５８ｂでは、発注先の医療文書情報４４側に丸印が付されている。
【００４２】
そして、診療履歴情報取得部３６が、文書関係情報５４において、上述のＳ１０２に例示する処理で選択された医療文書情報４４に対応するノード５６を起点として、そのノード５６からのリンク５８の数が予め定められた数（例えば、２つ）以内であるノード５６に対応する医療文書情報４４を特定する（Ｓ２０３）。そして、診療履歴情報取得部３６が、各医療文書情報４４について、その医療文書情報４４に含まれる記録関連時期情報に対応する診療関連時期情報が含まれる診療履歴情報５２を少なくとも１つ取得する（Ｓ２０４）。そして、病名特定部３８が、公知の辞書データなどに基づいて、それらの診療履歴情報５２に含まれる病名情報が示す病名のうち、最も癌の可能性が高い病名を特定する（Ｓ２０５）。このようにして、Ｓ１０２に例示する処理で選択された医療文書情報４４に対応する病名が特定される。なお、Ｓ２０５に例示する処理において、病名特定部３８が、医療文書情報４４に含まれる組織情報が示す文字列（例えば、「胃」）に対応する病名を特定するようにしてもよい。
【００４３】
次に、上述のＳ１０５に例示する処理の詳細について、図１１に例示するフロー図を参照しながら説明する。
【００４４】
まず、罹患指標算出部４０は、Ｓ１０２に例示する処理において診療判定情報に対応すると判定された検索条件文字列それぞれに関連付けられているｋ−ｆｌａｇの値のうちの最大の値を特定する（Ｓ３０１）。そして、罹患指標算出部４０は、Ｓ１０４に例示する処理において特定された病名に対応するｋ−ｆｌａｇの値をキーワード情報４６に基づいて特定する（Ｓ３０２）。そして、罹患指標算出部４０は、Ｓ３０２に例示する処理において特定されたｋ−ｆｌａｇの値に、予め定められた値γ（０＜γ＜１）を乗じた値βを算出する（Ｓ３０３）。そして、罹患指標算出部４０は、Ｓ３０１に例示する処理で特定された値（ｋ−ｆｌａｇの最大値）に上述の値βを足した値をｅ−ｆｌａｇの値として算出する（Ｓ３０４）。なお、罹患指標算出部４０は、Ｓ３０１に例示する処理で特定された値（ｋ−ｆｌａｇの最大値）が１０である場合は、ｅ−ｆｌａｇの値は１０と算出する。また、Ｓ３０４に例示する処理により算出される値が１０を超える場合は、罹患指標算出部４０は、ｅ−ｆｌａｇの値を１０とする。例えば、上述のＳ３０１に例示する処理で特定される医療文書情報４４に対応するｋ−ｆｌａｇの値が９であり、γの値が０．０７であり、上述のＳ３０２に例示する処理で特定される、診療履歴情報５２に含まれる病名情報に対応するｋ−ｆｌａｇの値が１０である場合には、罹患指標算出部４０は、ｅ−ｆｌａｇの値を、９＋０．０７×１０＝９．７と算出する。以上のようにして、医療文書情報４４に対応する罹患指標であるｋ−ｆｌａｇの値に基づいて、この医療文書情報４４に対応する診療履歴情報５２により補正された罹患指標であるｅ−ｆｌａｇの値が算出される。ｅ−ｆｌａｇの値は、例えば、医療文書情報４４に基づいて決定されるｋ−ｆｌａｇの値を、診療履歴情報５２に基づいて補正した値であるといえる。
【００４５】
罹患指標出力部４２は、本実施形態では、利用からの要求に応じて、癌に罹患している可能性が高い患者について、図１２に例示する、癌登録候補者情報６０が含まれる癌登録候補者表示画面６２をディスプレイなどのＵＩ部１６に表示出力する。罹患指標出力部４２は、例えば、上述のＳ１０１〜Ｓ１０７に例示する処理により算出されたｐ−ｆｌａｇの値が予め定められた値以上である患者について、図１２に例示する癌登録候補者情報６０をディスプレイなどのＵＩ部１６に表示出力する。癌登録候補者情報６０は、患者識別子と、ｐ−ｆｌａｇに対応する診療履歴情報５２に含まれる診療関連時期情報と、ｐ−ｆｌａｇの値と、ｐ−ｆｌａｇに対応する診療履歴情報５２に含まれる病名情報が示す病名と、を含む癌登録候補者情報６０をディスプレイなどのＵＩ部１６に表示出力する。このように、罹患指標出力部４２は罹患指標を出力する。図１２に例示するように、罹患指標出力部４２は、ｐ−ｆｌａｇの値が大きい患者から降順に癌登録候補者情報６０を表示出力するようにしてもよい。
【００４６】
また、罹患指標出力部４２は、本実施形態では、利用者からの要求に応じて、癌登録候補者情報６０に示されている患者の医療文書情報４４の一覧表示画面をディスプレイなどのＵＩ部１６に表示出力する。図１３は、医療文書情報４４の一覧表示画面（医療文書一覧表示画面６４）の一例を示す図である。図１３に例示するように、罹患指標出力部４２は、対応するｅ−ｆｌａｇの値が予め定められた値以上である医療文書情報４４について、その内容をｅ−ｆｌａｇの値及びその値に対応する文字列が示されたタグ６６に関連付けて医療文書一覧表示画面６４に表示出力する。なお、罹患指標出力部４２は、ｅ−ｆｌａｇの値に応じた色のタグ６６を医療文書情報４４に付して表示出力するようにしてもよい。また、罹患指標出力部４２は、ｅ−ｆｌａｇの値に応じた表示態様（例えば、ｅ−ｆｌａｇの値に応じたフォントや太さや大きさなど）の文字列が示されたタグ６６を医療文書情報４４に付して表示出力するようにしてもよい。また、罹患指標出力部４２は、対応するｅ−ｆｌａｇの値が予め定められた値よりも小さい医療文書情報４４については、医療文書一覧表示画面６４に表示出力しない。癌登録候補者情報６０や医療文書一覧表示画面６４は、具体的には、例えば、癌登録システムへの登録などの場面において活用される。
【００４７】
なお、本発明は上記実施形態に限定されるものではない。
【００４８】
例えば、罹患指標算出部４０が、医療文書情報４４に対応するｋ−ｆｌａｇが予め定められた値よりも大きい（あるいは、予め定められた値以上）である場合に、その医療文書情報４４に含まれる患者識別子を癌登録候補者リストに追加するようにしてもよい。そして、罹患指標出力部４２が、癌登録候補者リストに含まれる患者識別子に対応する患者について、癌登録候補者情報６０を表示出力するようにしてもよい。
【００４９】
また、上記実施形態を、例えば、情報処理装置１０に接続された記憶装置が、医療文書情報記憶部２０、キーワード情報記憶部２２、アクセス履歴情報記憶部２４、発注履歴情報記憶部２６、診療履歴情報記憶部２８のうちの少なくとも１つを含むよう構成した分散型の情報処理システムに応用してもよい。
【００５０】
なお、上記の具体的な数値や文字列は例示であり、これらの数値や文字列には限定されない。
【符号の説明】
【００５１】
１０  情報処理装置、１２  制御部、１４  記憶部、１６  ユーザインタフェース（ＵＩ）部、２０  医療文書情報記憶部、２２  キーワード情報記憶部、２４  アクセス履歴情報記憶部、２６  発注履歴情報記憶部、２８  診療履歴情報記憶部、３０  医療文書情報取得部、３２  検索処理実行部、３４  文書関係抽出部、３６  診療履歴情報取得部、３８  病名特定部、４０  罹患指標算出部、４２  罹患指標出力部、４４  医療文書情報、４６  キーワード情報、４８  アクセス履歴情報、５０  発注履歴情報、５２  診療履歴情報、５４  文書関係情報、５６  ノード、５８  リンク、５８ａ  参照関係リンク、５８ｂ  発注関係リンク、６０  癌登録候補者情報、６２  癌登録候補者表示画面、６４  医療文書一覧表示画面、６６  タグ。
【図１】
0005440019.tif 000002
【図２】
0005440019.tif 000003
【図３】
0005440019.tif 000004
【図４】
0005440019.tif 000005
【図５】
0005440019.tif 000006
【図６】
0005440019.tif 000007
【図７】
0005440019.tif 000008
【図８】
0005440019.tif 000009
【図９】
0005440019.tif 000010
【図１０】
0005440019.tif 000011
【図１１】
0005440019.tif 000012
【図１２】
0005440019.tif 000013
【図１３】
0005440019.tif 000014